(57)【要約】      （修正有）【課題】ディスプレイを壁面に取り付ける金具であって、セットトップボックス等の機器を収納し、また、高所に設置したときには角度調整が可能で、壁面取り付け以外にも使用することができるディスプレイ用壁面取り付け金具を提供する。【解決手段】本体ベース１が箱状となっているので、セットトップボックスを収納できる構造になっており、見栄えが良い上に防犯面の効果も期待出来、また、本体ベース１とサイドパネル２とディスプレイ取り付け金具３のパーツを組み立てることにより、傾斜ができる構造になっているので、ディスプレイを壁面の高い位置に設置する際に、適視角度にすることが可能で、それぞれのパーツの組み換えによって壁面取り付け以外にも使用することができるディスプレイ用壁面取り付け金具である。【選択図】図１
0003235557.tif 000002
【実用新案登録請求の範囲】
【請求項１】
ディスプレイを壁面に取り付ける金具であり、傾斜が可能でセットトップボックス等も収納することができ、構成パーツの組み換えにより、床設置スタンドへの取り付けなど、多用途に転用することができるディスプレイ用壁面取り付け金具。
【考案の詳細な説明】
【技術分野】
【０００１】  本考案は、ディスプレイ用の壁面取り付け金具に関するものである。
【背景技術】
【０００２】  従来、店舗、駅構内等で壁面に様々な情報等の映像を写し出すディスプレイ用の取り付け金具は、例えば非特許文献１に開示されているように床面空間を有効的に利用できるように超薄型の形態になっている。
【先行技術文献】
【非特許文献】
【０００３】
【非特許文献１】「オーロラＡＶ総合カタログＶｏｌ．５０」．株式会社共栄商事Ｐ．３９
【考案の概要】
【考案が解決しようとする課題】
【０００４】  しかしながら、上述した非特許文献１ではディスプレイを壁面に近づけて設置する形態となっているため、映像ソースを流すためのセットトップボックス等の機器を傍に設置するときに収納するスペースがないので、外観を損ねる。また、高所に設置したときには映像が見づらいので下向きに傾斜をした方が見やすいがその構造になっていない。【０００５】  本考案は上記問題を鑑みてなされたもので、ディスプレイを壁面に取り付けて、傾斜が可能で、セットトップボックス等も収納することができて、さらに壁面取り付け金具の構成パーツの組み換えにより、多用途に転用することができるディスプレイ用の壁面取り付け金具を提供することである。
【課題を解決するための手段】
【０００６】  上記の課題を解決するため本考案は、箱状の本体ベースの左右に、コの字に切り欠かれた一対のサイドパネルを接続固定して、側面の上部に円弧の長穴と下部に取り付け穴を設けたディスプレイ取り付け金具をディスプレイの背面に取り付けて、付設固定させることを構造としたディスプレイ用の壁面取り付け金具。
【考案の効果】
【０００７】  本考案の効果として、本体ベースが箱状となっているので、セットトップボックス等を収納できる構造になっており、見栄えが良い上に防犯面の効果も期待出来、また、本体ベースとサイドパネルをそれぞれ接続固定し、ディスプレイ取り付け金具を付設固定することにより、傾斜ができる構造になっているので、ディスプレイを壁面の高い位置に設置する際に、適視角度にすることが可能である。また、それぞれのパーツの組み換えによって壁面取り付け以外にも使用することができて、利用方法の幅が広がる。
【図面の簡単な説明】
【０００８】
【図１】本考案に係わるディスプレイ用壁面取り付け金具としての構成図である。
【図２】同上、ディスプレイ用壁面取り付け金具としての正面斜視図である。
【図３】同上、床設置スタンド用取り付け金具としての正面斜視図である。
【図４】同上、ディスプレイ用壁面取り付け金具の平面図である。
【考案を実施するための形態】
【０００９】  以下、本考案を実施するための形態を図面にもとづき説明する。
【実施例】
【００１０】  図１は、本考案に係るディスプレイ用壁面取り付け金具としての構成図であり、本体ベース１と左右のサイドパネル２とディスプレイ取り付け金具３からなり、本体ベース１の左右にサイドパネル２を接続固定し、さらにディスプレイの背面に取り付けたディスプレイ取り付け金具３を付設固定させる構成を示している。【００１１】  本体ベース１は、上面以外の三方を折り曲げたパネルの側面には上下に接続用ナット溶接が施され、サイドパネル２を取り付けられるようになっている。また、その側面の内側も接続用ナット溶接が施されており、ディスプレイ取り付け金具３の付設固定用となっている。さらに、背面の左右上下にも接続用ナット溶接が施されており、壁面取り付け以外に使用するときのサイドパネル２を取り付けられるようになっている。【００１２】  サイドパネル２は、一対のＬ型形状となっており、コの字に切り欠かれた面の上下に本体ベース１の接続用取り付け穴が設けられている。もう一面の上下には壁面へ取り付けるための長穴が設けられており、その内側には壁面以外に設置する際の取り付け穴が設けられている。【００１３】  ディスプレイ取り付け金具３は、金具の左右が背面方向に折り曲げられており、上部には円弧の長穴、下部には取り付け穴が設けられているディスプレイＡを取り付ける面には、ＶＥＳＡ規格に対応した寸法で複数の取り付け穴が設けられている。【００１４】  図２は、ディスプレイ用壁面取り付け金具としての正面斜視図であり、本体ベース１の左右にサイドパネル２を接続固定し、ディスプレイＡの背面に取り付けたディスプレイ取り付け金具３を付設固定させる状況を示している。ディスプレイＡを取り付ける面はＶＥＳＡ規格に対応した寸法の取り付け穴が複数開いていることにより、ディスプレイＡがバランス良く取り付けられるようになっている。また、サイドパネル２の側面がコの字に切り欠かれて、ディスプレイ取り付け金具３の側面の上部が円弧の長穴になっているので、ディスプレイＡを傾斜することができる構造となっている。【００１５】  図３は、ディスプレイ用床設置スタンド取り付け金具としての正面斜視図であり、本体ベース１の背面の左右上下にはナット溶接が施されており、サイドパネル２を接続固定している状態を示している。サイドパネル２のコの字に切り欠かれた面の上下の取り付け穴と床設置スタンドＣの側面の上下のナット溶接された取り付け穴を接続固定し、さらにディスプレイＡを取り付けたディスプレイ取り付け金具３を付設固定させた状況を示している。【００１６】  図４は、ディスプレイ用壁面取り付け金具の平面図を示したものである。本体ベース１とサイドパネル２を接続固定し、ディスプレイ取り付け金具３を付設固定させた状況を示している。本体ベース１が箱状の折り曲げ構造となっているので、スペースを確保して、セットトップボックスＤを収納することができ、底面に通線孔４が設けられているので、配線作業もしやすく、便利である。
【産業上の利用可能性】
【００１７】  本考案はディスプレイ用の壁面取り付け金具として勘案されているが、ディスプレイだけでなく、スピーカー等の機器設置としても応用でき万能性がある。
【符号の説明】
【００１８】  １．本体ベース
２．サイドパネル
３．ディスプレイ取り付け金具
４．通線孔
Ａ．ディスプレイ
Ｂ．壁面
Ｃ．床設置スタンド
Ｄ．セットトップボックス
【図１】
0003235557.tif 000003
【図２】
0003235557.tif 000004
【図３】
0003235557.tif 000005
【図４】
0003235557.tif 000006
【手続補正書】
【提出日】令和3年9月29日(2021.9.29)
【手続補正１】
【補正対象書類名】実用新案登録請求の範囲
【補正対象項目名】請求項１
【補正方法】変更
【補正の内容】
【請求項１】
セットトップボックス等を収納できる箱状の本体ベースの左右にコの字に切り欠かれた一対のサイドパネルを接続固定して、側面の上部に円弧の長穴と下部に取り付け穴を設けたディスプレイ取り付け金具をディスプレイの背面に取り付けて、付設固定させることを構造としており、壁面取り付け金具の構成パーツの組み換えにより、床設置スタンドへも取り付けできるディスプレイ用の壁面取り付け金具。